(57)【要約】【課題】  電気ドリルなどの大きな電力を要する電気機器をサービスコンセントに接続した場合でも良好に使用でき、また、電源分配部や電源コード、電源プラグなどが損傷することのないサービスコンセントを備えた自動販売機を提供する。【解決手段】  電源入力ラインとしての電源コード５にアダプタ接続端子１１が介装され、このアダプタ接続端子１１に対して、電源分配部３に接続された自動販売機側アダプタ１２と、サービスコンセント１に接続されたサービスコンセント側アダプタ１３とを選択して接続するように構成した。これにより、電源コード５などに過剰な電流が流れることがないので、電源分配部３や電源コード５、電源プラグ６が損傷することが防止される。【選択図】    図１
2006185199.tif 000002
【特許請求の範囲】
【請求項１】
電気機器を接続可能なサービスコンセントを備えた自動販売機であって、
電源入力ラインにアダプタ接続端子が接続され、このアダプタ接続端子に対して、電源分配部に接続された自動販売機側アダプタと、サービスコンセントに接続されたサービスコンセント側アダプタとを選択して接続するように構成したサービスコンセントを備えた自動販売機。
【請求項２】
電気機器を接続可能なサービスコンセントを備えた自動販売機であって、
電源分配部に接続された電源入力ラインに、切換スイッチを有する電源切換部が介装され、この電源切換部にサービスコンセントが接続され、前記切換スイッチにより、電源入力ライン側からの電力が、電源分配部とサービスコンセントとに選択的に切り換えられて接続されるように構成したサービスコンセントを備えた自動販売機。
【請求項３】
電気機器を接続可能なサービスコンセントを備えた自動販売機であって、
電源入力ラインまたはサービスコンセントに流れる電流量を測定する電流計と、
この電流計により測定した電流値が所定値を越えた場合に、電源分配部から分配されるサービスコンセント以外への電力の一部を制限する制御部とを
備えたサービスコンセントを備えた自動販売機。
【発明の詳細な説明】
【技術分野】
【０００１】
本発明は自動販売機に関し、特に、外部電気機器等の電気機器を接続可能なサービスコンセントを備えた自動販売機に関する。
【背景技術】
【０００２】
自動販売機には、外部電気機器やオプション用の電気機器を接続可能なサービスコンセントを備えたものがある。
図６、図７に示すように、このサービスコンセント１は、例えば、自動販売機本体２内の下部に配設された電源分配部３の前面に設けられ、係員や管理者などにより前面扉４を開けると前記サービスコンセント１が前方に向けて臨むように配設されている。なお、図６、図７における５は、自動販売機に備えられ、電源プラグ６を介して商用電源に接続されている電源入力ラインとしての電源コード、８は、所定箇所に設置されている商用電源の電源コンセントである。
【０００３】
前記サービスコンセント１は、例えば、以下で述べるような電気機器に給電する用途などに用いられ、例えば、自動販売機内部の基板などを修理する際などに使用する半田ごてに給電するために用いられる。また、自動販売機の据付用金具をアンカーで固定するに際してアンカー挿入用孔を設置箇所にあける時や、防犯用の金具などを自動販売機本体２や前面扉４に取り付ける際にこの取付用孔を形成する時に電気ドリル９が使用されるが、この電気ドリル９に給電するために用いられることがある。
【０００４】
さらに、自動販売機の製造販売時においてオプションとなる電気機器に給電する場合にも用いられることがあり、例えば、自動販売機本体２の上に別途に広告装置を設置して、この広告用装置の照明用電源等に給電するために用いられたり、前面扉４の金額表示部やコイン投入口の近傍などに後付けされた各種情報表示用のＬＥＤや液晶表示部の給電用として用いられたり、自動販売機の各種情報を所定の外部管理コンピュータなどに送ったりする情報入出力用のモデムの電源を取るために用いられたりすることもある。
【０００５】
自動販売機本体２に設けられている電源分配部３には、前記サービスコンセント１と並行して、自動販売機内に設けられている各種負荷（電気機器）が接続されている。すなわち、電源分配部３には、前面扉４に設けられた照明装置や制御装置、その他の電気部品などに給電する電気コードが接続され、また、自動販売機本体２内の商品搬送機構を駆動させる駆動モータやスイッチなどに給電する電気コードが接続され、さらに、例えば、商品を冷却するための圧縮機に給電する電気コードが接続され、商品を暖めるためのヒータに給電する電気コードが接続されている。
【０００６】
なお、例えば、電源コンセント８の容量は１５Ａ、自動販売機単体での容量は１２Ａ、サービスコンセント１の容量は１０Ａとされ、自動販売機単体での容量や、サービスコンセント１の容量よりは電源コンセント８の容量が大きくなるように設定されている。
【０００７】
また、サービスコンセントを備えた自動販売機において、特にサービスコンセントに関する技術について述べた特許文献等の技術文献は見当たらない。
【発明の開示】
【発明が解決しようとする課題】
【０００８】
ところで、サービスコンセント１に、半田ごてや広告用装置、情報表示装置、モデムなどを接続した場合には、これらの電気機器が比較的低容量の電力しか負荷として必要としないため、自動販売機を稼動させている状態で、並行して前記電気機器をサービスコンセント１に接続して使用しても前記電気機器を良好に使用することができ、何ら支障を来たすことはない。
【０００９】
しかしながら、自動販売機を稼動させている状態で、サービスコンセント１に電気ドリル９などの大きな電力容量を必要とする電気機器を接続して使用しようとすると、既に自動販売機を稼動させるために比較的多くの容量の電力を使用しているため、過電流が流れて電源取入側の遮断機が働き、電源の供給が遮断されることがあった。なお、このような場合には、電気ドリル９の電気コードを直接電源プラグ６に差し替えればよいが、複数台の自動販売機が並べられたり、電気ドリル９による穿孔箇所が電源プラグ６から遠い位置にあったりするなど、物理的な制限がある場合には、これに対処できない。
【００１０】
また、前記電気ドリル９などの大きな電力を要する電気機器の負荷と、自動販売機の負荷との両者の負荷が、電源分配部３や電源入力ラインとしての電源コード５、電源プラグ６に作用することとなり、その結果、電源分配部３や電源コード５、電源プラグ６に過剰な電流が流れて、損傷するおそれがあった。したがって、このような不具合が発生しないように、大きな電力を要する電気ドリル９などの電気機器をサービスコンセント１につなぐことを注意するステッカーをサービスコンセント１の近くに貼り付けたり、サービスコンセント１への接続コード途中にヒューズを介装して、定格電流以上の電流が流れないように規制したりしていた。しかし、何れの場合も、大きな電力を要する電気ドリル９などの電気機器を使用できなくなってしまう。
【００１１】
本発明は上記課題を解決するもので、電気ドリルなどの大きな電力を要する電気機器をサービスコンセントに接続した場合でも良好に使用でき、また、電源分配部や電源入力ラインとしての電源コード、電源プラグなどが損傷することのないサービスコンセントを備えた自動販売機を提供することを目的とするものである。
【課題を解決するための手段】
【００１２】
上記課題を解決するために本発明のサービスコンセントを備えた自動販売機は、電源入力ラインにアダプタ接続端子が介装され、このアダプタ接続端子に対して、電源分配部に接続された自動販売機側アダプタと、サービスコンセントに接続されたサービスコンセント側アダプタとを選択して接続するように構成したことを特徴とする。
【００１３】
上記構成において、サービスコンセントを使用する場合には、アダプタ接続端子から自動販売機側アダプタを外して、代わりにサービスコンセント側アダプタを接続する。そして、サービスコンセントに、電気ドリルや半田ごてなどの電気機器を接続して使用する。この構成により、電源入力ラインには前記電気機器だけが接続されてこの電気機器だけの負荷が作用することとなるので、前記電気機器に十分な電力が供給されて、前記電気機器が大きな電力容量を必要とする場合でも良好に駆動できる。また、電源入力ラインに過剰な電流が流れることがないので、電源分配部や電源入力ライン、電源プラグが損傷することが防止される。
【００１４】
また、本発明のサービスコンセントを備えた自動販売機は、電源分配部に接続された電源入力ラインに、切換スイッチを有する電源切換部が介装され、この電源切換部にサービスコンセントが接続され、前記切換スイッチにより、電源入力ライン側からの電力が、電源分配部とサービスコンセントとに選択的に切り換えられて接続されるように構成したサービスコンセントを備えたことを特徴とする。
【００１５】
上記構成において、サービスコンセントを使用する場合には、切換スイッチをサービスコンセント側に切り換える。この構成により、切換スイッチを介して電源入力ラインはサービスコンセント側だけに接続された状態となるので、外部機器に十分な電力が供給されて、駆動状態が良好となる。また、電源入力ラインに過剰な電流が流れることがないので、電源分配部や電源入力ライン、電源プラグが損傷することが防止される。
【００１６】
また、本発明のサービスコンセントを備えた自動販売機は、電源入力ラインまたはサービスコンセントに流れる電流量を測定する電流計と、この電流計により測定した電流値が所定値を越えた場合に、電源分配部から分配されるサービスコンセント以外への電力の一部を制限する制御部とを備えたことを特徴とする。
【００１７】
上記構成によれば、サービスコンセントに電気ドリルなどの大きな電力を要する負荷を接続して使用すると、これが電流計により検知され、電流値が所定値を越えた場合には、電源分配部からサービスコンセント以外の箇所へ分配される電力の一部が制限される。これにより、電気ドリルなどの使用電力の大きな電気機器をサービスコンセントに一時的に接続して使用する際には、この電気ドリルなどの外部機器に十分な電力が供給されて、駆動状態が良好となる。また、この構成によれば、広告装置の照明装置や情報入出力用のモデムなどその使用電力の少ない電気機器については、このような電気機器をサービスコンセントに接続しても、電源分配部からのサービスコンセント以外の箇所へ分配される電力の一部が制限されることがないので、このような使用電力の少ない電気機器を、サービスコンセントに常時接続して連続的に使用することができる。さらに、上記構成によれば、電源入力ラインに過剰な電流が流れないので、電源分配部や電源入力ライン、電源プラグが損傷することが防止される。
【発明の効果】
【００１８】
以上のように本発明によれば、電源入力ラインにアダプタ接続端子を接続させ、このアダプタ接続端子に対して、電源分配部に接続された自動販売機側アダプタと、サービスコンセントに接続された外部機器側アダプタとを選択して接続するように構成したり、電源分配部に接続された電源入力ラインに、切換スイッチを有する電源切換部を介装し、この電源切換部の一端にサービスコンセントを接続し、前記切換スイッチにより、電源入力ライン側からの電力が、電源分配部とサービスコンセントとに選択的に切り換えられるように構成したりすることにより、外部機器等の電気機器に十分な電力が供給されて、電気機器が大きな電力容量を必要とする場合でも良好に駆動できる。また、過剰な電流が流れないので、サービスコンセントにヒューズを設けたり、大きな電力容量を必要とする電気機器の使用を注意するステッカーを貼ったりしなくても済むとともに、電源分配部や電源入力ライン、電源プラグが損傷することが防止され、信頼性が向上する。
【００１９】
また、電源入力ラインまたはサービスコンセントに流れる電流量を測定する電流計を設け、この電流計により測定した電流値が所定値を越えた場合に、電源分配部から分配されるサービスコンセント以外への電力の一部を制限することにより、電気ドリルなどの使用電力の大きな電気機器をサービスコンセントに一時的に接続して使用する場合でも、この電気ドリルなどの外部機器に十分な電力が供給されて、駆動状態が良好となる。また、広告装置の照明装置や情報入出力用のモデムなどその使用電力の少ない電気機器については、このような電気機器をサービスコンセントに接続しても、電源分配部からのサービスコンセント以外の箇所へ分配される電力の一部が制限されることがないので、このような使用電力の少ない電気機器を、サービスコンセントに常時接続して連続的に使用することができる利点もある。さらに、電源入力ラインに過剰な電流が流れないので、サービスコンセントにヒューズを設けたり、大きな電力容量を必要とする電気機器の使用を注意するステッカーを貼ったりしなくても済むとともに、電源分配部や電源入力ライン、電源プラグが損傷することが防止され、信頼性が向上する。
【発明を実施するための最良の形態】
【００２０】
以下、本発明の実施の形態にかかるサービスコンセントを備えた自動販売機を図面に基づき説明する。なお、従来の自動販売機と同機能のものには同符号を付す。
図１、図２に示すように、この実施の形態においては、電源コンセント８に接続される電源入力ラインとしての電源コード５にアダプタ接続端子１１が接続されており、また、電源分配部３には、前記アダプタ接続端子１１に対して着脱可能とされた自動販売機側アダプタ１２が接続され、さらに、サービスコンセント１には、前記アダプタ接続端子１１に対して着脱可能とされたサービスコンセント側アダプタ１３が接続されている。そして、前記アダプタ接続端子１１に対して、手動で、自動販売機側アダプタ１２とサービスコンセント側アダプタ１３とを選択して接続できるように構成されている。
【００２１】
なお、この実施の形態では、図２に示すように、自動販売機側アダプタ１２と電源分配部３との間に漏電検知型のブレーカ７が介装され、このブレーカ７は、自動販売機の内部、例えば、自動販売機本体２内の下部や電源分配部３をなす筐体の内部に配設されている。また、電源分配部３には、それぞれ電気コードを介して、前面扉４に設けられた照明装置１５やその他の電気部品や、自動販売機本体２内の商品搬送機構１６を駆動させる駆動モータやスイッチなどの電気部品、商品を冷却するための圧縮機１７、商品を暖めるためのヒータ１８が接続されている。また、６は電源コード５の先端に接続されている電源プラグである。なお、例えば、電源コンセント８の容量は１５Ａ、自動販売機単体での容量は１２Ａ、サービスコンセント１の容量は１０Ａとされ、自動販売機単体での容量や、サービスコンセント１の容量よりは電源コンセント８の容量が大きくなるように設定されている。
【００２２】
上記構成において、サービスコンセント１を使用しない場合には、アダプタ接続端子１１に自動販売機側アダプタ１２を接続しておく。これにより、電源コード５からの電力が、アダプタ接続端子１１および自動販売機側アダプタ１２を介して、電源分配部３に送られ、電源分配部３からの電気が自動販売機内の各部に供給される。
【００２３】
一方、サービスコンセント１を使用する場合には、前面扉４を開けた状態で、アダプタ接続端子１１から自動販売機側アダプタ１２を外して、代わりにサービスコンセント側アダプタ１３を接続する。そして、サービスコンセント１に、電気ドリル９や半田ごてなどの電気機器９’を接続して使用する。この構成により、電源コード５には電気ドリル９などの電気機器９’だけが接続されてこの電気機器９’だけの負荷が作用することとなるので、前記電気機器９’に十分な電力が供給されて、前記電気機器９’が大きな電力容量を必要とする場合でも良好に駆動できる。
【００２４】
また、上記のように、自動販売機への通電が切断された状態でないと、サービスコンセント１側に通電されることがないので、電源コード５に過剰な電流が流れることがなくなり、電源分配部３や電源コード５、電源プラグ６が損傷することが防止され、信頼性が向上する。したがって、従来のように、サービスコンセントにヒューズを設けたり、大きな電力容量を必要とする電気機器の使用を注意するステッカーを貼ったりしなくても済む。
【００２５】
また、上記のように、自動販売機側アダプタ１２と電源分配部３との間に漏電検知型のブレーカ７を介装することで、漏電した際に、電源分配部３への通電が遮断されるため、さらに、信頼性が向上する。
【００２６】
図３、図４は本発明の他の実施の形態を示すもので、この実施の形態においては、電源分配部３に接続された電源コード５に、切換スイッチ２１を有する電源切換部２０が介装されている。また、切換スイッチ２１における電源分配部３に接続されてない側に、接続コード２２を介してサービスコンセント１が接続されている。そして、前記切換スイッチ２１を手動で切り換えることにより、電源コード５側からの電力が、電源分配部３とサービスコンセント１とに選択的に切り換えられて接続されるようになっている。なお、図５における５ａは、電源コード５における、切換スイッチ２１と電源分配部３との接続部で、その途中に漏電検知型のブレーカ７が介装され、切換スイッチ２１が電源分配部３側の端子に接続された際だけ通電される。また、切換スイッチ２１は、図４においては簡略して示しているので図示していないが、２回路２接点型のものが用いられており、接点を切り換えることで、接続していない側とは完全に電気的に切り離されるようになっている。
【００２７】
この構成において、サービスコンセント１を使用しない場合には、切換スイッチ２１を電源分配部３側に切り換え、また、サービスコンセント１を使用する場合には、切換スイッチ２１をサービスコンセント１側に切り換える。この構成により、サービスコンセント１を使用する場合には、切換スイッチ２１を介して電源コード５はサービスコンセント１側だけに接続された状態となるので、電気ドリル９などの外部機器９’に十分な電力が供給されて、駆動状態が良好となる。また、切換スイッチ２１をサービスコンセント１側に切り換えて自動販売機への通電が切断された状態でないと、サービスコンセント１側に通電されることがないので、電源コード５に過剰な電流が流れることがなくなり、電源分配部３や電源コード５、電源プラグ６が損傷することが防止され、信頼性が向上する。また、従来のように、サービスコンセントにヒューズを設けたり、大きな電力容量を必要とする電気機器の使用を注意するステッカーを貼ったりしなくても済む。
【００２８】
なお、上記の場合は、切換スイッチ２１を設けた場合を述べたが、これに代えて、自動販売機における各種の設定入力を行うキー入力部２５からのキー入力により自動販売機側の電源を切るように入力指示した際だけに、サービスコンセント１側だけに電源からの電力が出力されるように構成してもよく、これによっても同様の作用効果を得ることができる。
【００２９】
図５は本発明のさらに他の実施の形態を示すもので、この実施の形態においては、電源コード５に、この電源コード５に流れる電流量を測定する電流計２３が介装されている。そして、自動販売機に設けられた制御部３０が、前記電流計２３からの電流値情報を入力して、この電流計により測定した電流値が所定値（例えば、電源コンセント８の容量電流よりも若干低い値）を越えた場合には、電源分配部３から分配されるサービスコンセント１以外への電力の一部を制限するように、具体的には、比較的大きな負荷となる、圧縮機１７とヒータ１８とを一時的に停止するように構成されている。
【００３０】
上記構成によれば、サービスコンセント１に電気ドリル９などの大きな電力を要する負荷の電気機器９’を接続して使用すると、電流値の大幅な増加が電流計２３により検知され、電流値が前記所定値を越えた場合には、電源分配部３からサービスコンセント１以外の箇所へ分配される電力の一部が制限され、具体的には圧縮機１７とヒータ１８とが停止される。これにより、サービスコンセント１に接続された電気ドリル９などの電気機器９’に十分な電力が供給されて、駆動状態が良好となるとともに、電源コード５に過剰な電流が流れないので、電源分配部３や電源コード５、電源プラグ６が損傷することが防止される。また、従来のように、サービスコンセントにヒューズを設けたり、大きな電力容量を必要とする電気機器の使用を注意するステッカーを貼ったりしなくても済む。
【００３１】
また、この場合には、常時、電源コード５の電流量が監視されて制御され、サービスコンセント１への電力供給が切断されることがないので、電気ドリル９や半田ごてなどの一時的に使用する外部電気機器を使用できるだけでなく、自動販売機本体２の上に別途設置された広告装置の照明装置にサービスコンセント１からの電力を供給する場合や、その他、前面扉の金額表示部やコイン投入口の近傍などに後付けされた各種情報表示用のＬＥＤや液晶表示部の給電用として用いたり、自動販売機の各種情報を所定の外部管理コンピュータなどに送ったりする情報入出力用のモデムの電源を取るために用いたりする場合にも適用可能である。このように、広告装置の照明装置や情報入出力用のモデムなど、その使用電力の少ない電気機器については、この種の電気機器をサービスコンセント１に接続しても、電源分配部３からのサービスコンセント１以外の箇所へ分配される電力の一部が制限されることがないので、このような使用電力の少ない電気機器を、サービスコンセント３に常時接続して連続的に使用できる利点もある。
【００３２】
なお、電源コード５に電流計２３を介装する代わりに、サービスコンセント１の電流を測定する電流計２３を設けて、この電流計２３の電流値が所定値よりも大きくなった場合に、電源分配部３からサービスコンセント１以外の箇所へ分配される電力の一部を制限するように構成してもよい。
【００３３】
また、上記の実施の形態においては、ブレーカ７が設けられている自動販売機の場合を述べたが、ブレーカ７が設けられていない自動販売機にも適用できることはもちろんである。
【図面の簡単な説明】
【００３４】
【図１】本発明の実施の形態にかかるサービスコンセントを備えた自動販売機の、前面扉を開けた状態の斜視図である。
【図２】同自動販売機の要部を示すブロック図である。
【図３】本発明の他の自動販売機の、前面扉を開けた状態の斜視図である。
【図４】同自動販売機の要部を示すブロック図である。
【図５】本発明のその他の自動販売機の要部を示すブロック図である。
【図６】従来の自動販売機の、前面扉を開けた状態の斜視図である。
【図７】同従来の自動販売機の要部を示すブロック図である。
【符号の説明】
【００３５】
１        サービスコンセント
２        自動販売機本体
３        電源分配部
４        前面扉
５        電源コード
６        電源プラグ
７        ブレーカ
８        電源コンセント
９        電気ドリル（電気機器）
９’      電気機器
１１      アダプタ接続端子
１２      自動販売機側アダプタ
１３      サービスコンセント側アダプタ
１５      照明装置
１６      商品搬送機構
１７      圧縮機
１８      ヒータ
２０      電源切換部
２１      切換スイッチ
２２      接続コード
２３      電流計
２５      キー入力部
３０      制御部
【図１】
2006185199.tif 000003
【図２】
2006185199.tif 000004
【図３】
2006185199.tif 000005
【図４】
2006185199.tif 000006
【図５】
2006185199.tif 000007
【図６】
2006185199.tif 000008
【図７】
2006185199.tif 000009